(57)【特許請求の範囲】
【請求項１】
記録媒体およびこの情報記録媒体を駆動するモータが実装された板状のベースと、前記ベースに対向配置されたプリント回路基板と、前記ベースおよび前記プリント回路基板を覆った板状のトップカバーおよびボトムカバーと、上記プリント回路基板に実装され、前記トップカバーおよびボトムカバーの一側縁部に露出したコネクタと、を有したカード状電子機器を取付け保持するカード状電子機器の取付け構造において、
弾性材料により形成され、上記カード状電子機器の一側縁部およびこの一側縁部の両側に位置した２つの角部を覆うように、上記カード状電子機器に外側から脱着自在に装着されているとともに、上記コネクタと対向した開口を有し、上記カード状電子機器の厚さよりも大きな厚さを有した第１緩衝部材と、
弾性材料により形成され、上記カード状電子機器の前記一側縁部と対向した他の一側縁部およびこの一側縁部の両側に位置した２つの角部を覆うように、上記カード状電子機器に外側から脱着自在に装着されているとともに、上記カード状電子機器の厚さよりも大きな厚さを有した第２緩衝部材と、
上記カード状電子機器の表面に対向した設置面を有した設置部と、
上記設置面と対向して配置され、設置面との間に、上記カード状電子機器に装着された上記第１および第２緩衝部材を挟持し、上記カード状電子機器を保持した保持部材と、
を備えたことを特徴とするカード状電子機器の取付け構造。
【請求項２】
上記設置部に隣接して設けられた設置側コネクタと、
上記設置部に装着されたカード状電子機器のコネクタと上記設置側コネクタとを接続した中継コネクタと、を備え、
上記中継コネクタは、上記設置側コネクタに接続された第１コネクタと、上記第１緩衝部材の開口を介して上記カード状電子機器のコネクタに接続された第２コネクタと、これら第１および第２コネクタ同士を接続したフレキシブルプリント回路基板と、を有していることを特徴とする請求項１に記載のカード状電子機器の取付け構造。
【請求項３】
上記第１緩衝部材および第２緩衝部材は同一の寸法および形状を有していることを特徴とする請求項１又は２に記載のカード状電子機器の取付け構造。
【請求項４】
上記設置部は、上記設置面上に設けられ上記カード状電子機器を位置決めする複数の位置決め部を有していることを特徴とする請求項１ないし３のいずれか１項に記載のカード状電子機器の取付け構造。
【請求項５】
上記設置部および保持部材の少なくとも一方に設けられ、上記設置部と保持部材との間隔を規制したボスを備えていることを特徴とする請求項１ないし４のいずれか１項に記載のカード状電子機器の取付け構造。
【請求項６】
記録媒体およびこの情報記録媒体を駆動するモータが実装された板状のベースと、前記ベースに対向配置されたプリント回路基板と、前記ベースおよび前記プリント回路基板を覆った板状のトップカバーおよびボトムカバーと、上記プリント回路基板に実装され、前記トップカバーおよびボトムカバーの一側縁部に露出したコネクタと、を有したカード状電子機器を取付け保持するカード状電子機器の取付け構造において、
上記カード状電子機器の厚さよりも大きな厚さを有し弾性材料により形成されているとともに上記コネクタと対向する開口を有した第１緩衝部材を、上記カード状電子機器の周縁部に脱着自在に装着して上記カード状電子機器の一側縁部およびこの一側縁部の両側に位置した２つの角部を覆い、
上記カード状電子機器の厚さよりも大きな厚さを有し弾性材料により形成されている第２緩衝部材を、上記カード状電子機器の周縁部に脱着自在に装着して上記カード状電子機器の前記一側縁部と対向した他の一側縁部およびこの一側縁部の両側に位置した２つの角部を覆い、
上記第１および第２緩衝部材の装着されたカード状電子機器を設置部の設置面と対向するように配置し、
保持部材を上記設置面と対向して配置して、この保持部材と設置面との間に上記第１および第２緩衝部材を挟持し上記カード状電子機器を設置部に取付けることを特徴とするカード状電子機器の取付け方法。
【発明の詳細な説明】
【０００１】
【発明の属する技術分野】
本発明は、カード状電子機器を所定位置に取付け保持する取付け構造、および取付け方法に関する。
【０００２】
【従来の技術】
近年、パーソナルコンピュータ等の電子機器では、例えば、拡張機器、メモリ装置として種々のカード状電子機器が用いられている。このカード状電子機器として、例えば、カード状のハードディスクドライブ（以下、ＨＤＤと称する）は、ＨＤＤのベースに形成されたねじ孔を利用することにより、パーソナルコンピュータの筐体内の設置部に、直接あるいは間接的にねじ止め固定されている。あるいは、筐体にねじ止めされた固定部材を用いてＨＤＤを固定している。そして、いずれの場合でも、ＨＤＤと筐体設置部との間、あるいは、ＨＤＤと固定部材との間に、弾性材料からなる緩衝材を配置することにより、ＨＤＤに作用する振動衝撃を緩和している。
【０００３】
【発明が解決しようとする課題】
通常、緩衝材は、ＨＤＤの四隅、上下面、あるいはねじの結合部近傍に設けられ、複数の緩衝材が設けられている。そのため、ＨＤＤを筐体側に装着する際、複数の緩衝材をＨＤＤと筐体との間、あるいは、ＨＤＤと固定部材との間に配置する必要があり、ＨＤＤの脱着作業が面倒となる。
【０００４】
また、超小型ＨＤＤのように、設置部側に直接ＨＤＤを固定しない場合、パーソナルコンピュータの筐体側から容易に脱着できる反面、振動衝撃等の外力を緩衝することが難しいとともに、ＨＤＤを筐体側にしっかりと固定することが困難となる。
【０００５】
この発明は以上の点に鑑みなされたもので、その目的は、カード状電子機器を容易に脱着できるとともに、カード状電子機器を外部からの振動衝撃に対して保護することが可能なカード状電子機器の取付け構造、および取付け方法を提供することにある。
【０００６】
【課題を解決するための手段】
上記目的を達成するため、この発明の係るカード状電子機器の取付け構造は、記録媒体およびこの情報記録媒体を駆動するモータが実装された板状のベースと、前記ベースに対向配置されたプリント回路基板と、前記ベースおよび前記プリント回路基板を覆った板状のトップカバーおよびボトムカバーと、上記プリント回路基板に実装され、前記トップカバーおよびボトムカバーの一側縁部に露出したコネクタと、を有したカード状電子機器を取付け保持するカード状電子機器の取付け構造において、
弾性材料により形成され、上記カード状電子機器の一側縁部およびこの一側縁部の両側に位置した２つの角部を覆うように、上記カード状電子機器に外側から脱着自在に装着されているとともに、上記コネクタと対向した開口を有し、上記カード状電子機器の厚さよりも大きな厚さを有した第１緩衝部材と、弾性材料により形成され、上記カード状電子機器の前記一側縁部と対向した他の一側縁部およびこの一側縁部の両側に位置した２つの角部を覆うように、上記カード状電子機器に外側から脱着自在に装着されているとともに、上記カード状電子機器の厚さよりも大きな厚さを有した第２緩衝部材と、上記カード状電子機器の表面に対向した設置面を有した設置部と、上記設置面と対向して配置され、設置面との間に、上記カード状電子機器に装着された上記第１および第２緩衝部材を挟持し、上記カード状電子機器を保持した保持部材と、を備えたことを特徴としている。
【０００７】
また、この発明に係るカード状電子機器の取付け方法は、記録媒体およびこの情報記録媒体を駆動するモータが実装された板状のベースと、前記ベースに対向配置されたプリント回路基板と、前記ベースおよび前記プリント回路基板を覆った板状のトップカバーおよびボトムカバーと、上記プリント回路基板に実装され、前記トップカバーおよびボトムカバーの一側縁部に露出したコネクタと、を有したカード状電子機器を取付け保持するカード状電子機器の取付け構造において、
上記カード状電子機器の厚さよりも大きな厚さを有し弾性材料により形成されているとともに上記コネクタと対向する開口を有した第１緩衝部材を、上記カード状電子機器の周縁部に脱着自在に装着して上記カード状電子機器の一側縁部およびこの一側縁部の両側に位置した２つの角部を覆い、上記カード状電子機器の厚さよりも大きな厚さを有し弾性材料により形成されている第２緩衝部材を、上記カード状電子機器の周縁部に脱着自在に装着して上記カード状電子機器の前記一側縁部と対向した他の一側縁部およびこの一側縁部の両側に位置した２つの角部を覆い、上記第１および第２緩衝部材の装着されたカード状電子機器を設置部の設置面と対向するように配置し、保持部材を上記設置面と対向して配置して、この保持部材と設置面との間に上記第１および第２緩衝部材を挟持し上記カード状電子機器を設置部に取付けることを特徴としている。
【０００８】
上記構成のカード状電子機器の取付け構造および取付け方法によれば、脱着自在な緩衝部材をカード状電子機器の周縁部に装着した状態で、このカード状電子機器を設置部に対して取付けおよび取り外しすることができる。そのため、脱着操作時、所定の位置に対して緩衝部材を単体で配置および取り外しする必要がなく、カード状電子機器の脱着を容易に行うことが可能となる。
【０００９】
また、カード状電子機器は、設置部と保持部材との間に挟持された緩衝部材を介して固定されることから、設置部側に振動衝撃が作用した場合でも、緩衝部材の緩衝作用によりカード状電子機器側に作用する衝撃を低減することができる。
【００１０】
更に、緩衝部材を介してカード状電子機器を所定位置に確実に固定することが可能となる。緩衝部材をゴム等の弾性材料によって形成することにより、その吸着特性によってカード状電子機器の位置ずれを抑制することができる。
【００１１】
【発明の実施の形態】
以下図面を参照しながら、この発明の実施の形態に係るカード状電子機器の取付け構造を備えたパーソナルコンピュータについて説明する。
まず、カード状電子機器としてのＨＤＤについて説明する。図１および図２に示すように、ＨＤＤ１０は扁平なほぼ矩形のカード状に形成され、厚さ５．０ｍｍに構成されている。このＨＤＤ１０は、金属からなる矩形板状のベース１１、ベース１１の上面を閉塞した板状のトップカバー１２、ベースの底面側に設けられたプリント回路基板１４、プリント回路基板およびベースの底面側を覆ったボトムカバー１５を備え、これらを積層することにより、全体としてカード状に形成されている。ベース１１とトップカバー１２との間には、ベース１１内部を気密に保持するための枠状のシール３０が設けられている。
【００１２】
ベース１１には、情報記録媒体として機能する１．８インチの磁気ディスク１６、この磁気ディスクを支持および回転させる駆動モータとしてのスピンドルモータ１８、磁気ディスクに対して情報の書き込み、読み出しを行なう複数の磁気ヘッド、これらの磁気ヘッドを磁気ディスク１６に対して移動自在に支持したヘッドアクチュエータ２２、ヘッドアクチュエータを回動および位置決めする図示しないボイスコイルモータ、ランプロード機構、イナーシャラッチ機構２６、ヘッドＩＣ等を有する基板ユニット２１、およびエアフィルタ２８等が設けられている。
【００１３】
ベース１１の底壁外面に設けられたプリント回路基板１４には、基板ユニット２１に接続されたコネクタ３２、およびＨＤＤ１０を外部機器に接続するための接続コネクタ３４が実装されている。そして、接続コネクタ３４は、ＨＤＤの一側縁から突出している。
【００１４】
一方、図３および図４に示すように、パーソナルコンピュータは、上記構成を有したＨＤＤ１０を装着および保持するための取付け構造を備えている。すなわち、パーソナルコンピュータは、筐体の一部に設けられた設置部４０を有し、この設置部は平坦な設置面４２を備えている。また、設置面４２上には、Ｌ字状の４つの位置決め突起４４が突設されている。これらの位置決め突起４４は、ＨＤＤ１０の４つの角部を位置決めするように配置されている。
【００１５】
パーソナルコンピュータの筐体内には、メインプリント回路基板（以下、メインＰＣＢと称する）４６が設けられ、設置面４２に隣接対向して位置している。メインＰＣＢ４６には設置側コネクタ４８が実装され、設置部４０に対向している。
【００１６】
また、取付け構造は、ＨＤＤ１０の周縁部に脱着自在に装着される第１および第２緩衝部材５０ａ、５０ｂを備えている。これら第１および第２緩衝部材５０ａ、５０ｂは、例えばゴム等の弾性材料によって形成されている。また、各緩衝部材の厚さは、ＨＤＤ１０の厚さ、特に、最も厚い部分の厚さよりも厚く形成されている。
【００１７】
緩衝部材５０ａ、５０ｂは、互いに同一形状を有し、ＨＤＤ１０の長手方向端縁部の形状に合わせてほぼＵ字形状に形成されている。すなわち、各緩衝部材５０ａ、５０ｂは、ＨＤＤ１０の長手方向端縁部に外側から装着可能に形成され、装着状態において、ＨＤＤの短辺側端縁部および２つの角部を覆うように形成されている。
【００１８】
また、第１および第２緩衝部材５０ａ、５０ｂの各々は、ＨＤＤ１０のコネクタ３４に対応した開口５２を有している。そのため、コネクタ３４を開口５２内に露出させた状態で、第１緩衝部材５０ａをＨＤＤの端縁部に装着することができる。
【００１９】
更に、取付け構造は、ＨＤＤ１０のコネクタ３４と設置側コネクタ４８とを接続する中継コネクタ５４、および後述する保持部材を備えている。この中継コネクタ５４は、設置側コネクタ４８に接続される第１コネクタ５５ａと、第１緩衝部材５０ａの開口５２を介してＨＤＤ１０のコネクタ３４に接続される第２コネクタ５０ｂと、これら第１および第２コネクタ同士を接続したフレキシブルプリント回路基板（以下、ＦＰＣと称する）と、を有している。
【００２０】
図３および図４に示すように、ＨＤＤ１０をパーソナルコンピュータに取付ける場合、まず、ＨＤＤ１０の長手方向両端縁部に第１および第２緩衝部材５０ａ、５０ｂを装着する。続いて、位置決め突起４４に位置合わせした状態で、ＨＤＤ１０を設置部４０の設置面４２上に載置し、同時に、中継コネクタ５４の第１５５ａを設置側コネクタ４８に接続するとともに、第２コネクタ５５ｂを第１緩衝部材５０ａの開口５２を介してＨＤＤ１０のコネクタ３４に接続する。これにより、ＨＤＤ１０は設置部４０に対して所定位置に配置されるとともに、中継コネクタ５４および設置側コネクタ４８を介してメインＰＣＢ４６に電気的に接続される。
【００２１】
このように、第１緩衝部材５０ａは、コネクタ３４を露出する開口５２を有していることから、ＨＤＤ１０側のコネクタ３４とパーソナルコンピュータ側のコネクタ４８と抜き差しは、第１および第２緩衝部材５０ａ、５０ｂをＨＤＤ１０に装着した状態で行うことができる。また、第１および第２緩衝部材５０ａ、５０ｂは同一形状に形成されていることから、第１および第２緩衝部材を入れ替えてＨＤＤ１０に装着しても良い。
【００２２】
次に、設置部４０およびＨＤＤ１０に重ねて板状の保持部材６０を配置する。この保持部材６０は、例えば、パーソナルコンピュータの筐体を用いることができる。また、保持部材６０は、設置面４２側に向かって突出した複数のボス６２を有し、これらのボスは設置部４０を囲むように配置されている。各ボス６２の高さは、ＨＤＤ１０の厚さよりも高く、かつ、第１および第２緩衝部材５０ａ、５０ｂの厚さよりも低く設定されていることが望ましい。
【００２３】
そして、複数のねじ６４によって保持部材６０を設置部４０側にねじ止めし、ボス６２を設置面４２側に当接させる。これにより、保持部材６０は設置面４２と平行にかつ所定の間隔を置いて対向配置され、ＨＤＤ１０に装着され、かつ、ＨＤＤよりも厚い第１および第２緩衝部材５０ａ、５０ｂは、保持部材と設置面との間に挟持され、これらの間に固定される。従って、ＨＤＤ１０は、第１および第２緩衝部材５０ａ、５０ｂを介して設置部４０に取付け固定される。
【００２４】
取付け固定された状態において、設置面４２および保持部材６０は第１および第２緩衝部材５０ａ、５０ｂに密着しているが、ＨＤＤ１０に直接接触することはない。
【００２５】
以上のように構成された取付け構造および取付け方法によれば、脱着自在な第１および第２緩衝部材５０ａ、５０ｂをＨＤＤ１０の周縁部に装着した状態で、このＨＤＤをパーソナルコンピュータの設置部４０に対して取付けおよび取り外しすることができる。そのため、脱着操作時、設置部側の所定の位置に対して緩衝部材を単体で配置および取り外しする必要がなく、ＨＤＤの脱着を容易に行うことが可能となる。
【００２６】
また、ＨＤＤ１０は、設置部４０と保持部材６０との間に挟持された第１および第２緩衝部材５０ａ、５０ｂを介して固定されることから、設置部側に振動衝撃が作用した場合でも、緩衝部材の緩衝作用によりＨＤＤに作用する衝撃を低減することができる。その結果、ＨＤＤの損傷を防ぐことができる。更に、第１および第２緩衝部材５０ａ、５０ｂは、ＨＤＤ１０の周縁部を囲むように装着されるため、大きな緩衝作用を発揮することができる。
【００２７】
また、第１および第２緩衝部材５０ａを介してＨＤＤを所定位置に確実に固定することが可能となる。緩衝部材をゴム等の弾性材料によって形成することにより、その吸着特性によってＨＤＤの位置ずれを抑制することができる。
【００２８】
なお、この発明は上述した実施の形態に限定されることなく、この発明の範囲内で種々変形可能である。例えば、第１および第２緩衝部材は、ＨＤＤの長手方向端縁部に装着構成としたが、これに限らず、ＨＤＤの長辺側端縁部および２つの角部を覆う形状に形成し、ＨＤＤの幅方向端縁部に装着する構成としても良い。また、緩衝部材は、単体の枠状に形成されていてもよい。
【００２９】
保持部材と設置面との間の間隔を規制するボスは、設置面側に設けられていてもよく、また、ボスに代えて適当のスペーサを設ける構成としてもよい。更に、この発明は、ＨＤＤの取付けに限らず、メモリカード、モデムカード等、他のカード状電子機器にも適用可能である。
【００３０】
【発明の効果】
以上の詳述したように、本発明によれば、カード状電子機器を容易に脱着できるとともに、カード状電子機器を外部からの振動衝撃に対して保護することが可能なカード状電子機器の取付け構造および取付け方法を提供することができる。
【図面の簡単な説明】
【図１】この発明の実施の形態に係る取付け構造によって取付けられるＨＤＤを示す斜視図。
【図２】上記ＨＤＤの分解斜視図。
【図３】上記取付け構造を示す分解斜視図。
【図４】上記取付け構造によりＨＤＤを取付けた状態を示す断面図。
【符号の説明】
１０…ＨＤＤ
１２…トップカバー
１４…プリント回路基板
１５…ボトムカバー
１６…磁気ディスク
３４…コネクタ
４０…設置部
４２…設置面
４４…位置決め突起
４８…設置側コネクタ
５０ａ…第１緩衝部材
５０ｂ…第２緩衝部材
５２…開口
５４…中継コネクタ
【図１】
0003641223.tif 000002
【図２】
0003641223.tif 000003
【図３】
0003641223.tif 000004
【図４】
0003641223.tif 000005